(57)【要約】【課題】磁気データ読取装置の出力ラインに直接リード線が接続されるという不正行為が行われた場合に、磁気情報が不正に取得されるのを防止することが可能なカード処理装置を提供する。【解決手段】カード処理装置は、磁気ヘッド７０に設けられるカード挿入検出部７を備える。カード挿入検出部７は、磁気カードに記録された磁気データを読み取る読取部７１と、読取部７１により読み取られた再生信号を出力する出力部７４と、読取部７１により読み取られた再生信号を出力部７４から出力するか否かを制御する出力制御部７３とを含む。【選択図】図３
2011113235.tif 000002
【特許請求の範囲】
【請求項１】
磁気カードに記録された磁気データを読み取る読取部と、前記読取部により読み取られた信号を出力する出力部とを含む磁気データ読取装置を備えたカード処理装置において、
前記磁気データ読取装置は、前記読取部により読み取られた信号を前記出力部から出力するか否かを切り替える切替部をさらに含む、ことを特徴とするカード処理装置。
【請求項２】
請求項１に記載のカード処理装置において、
前記磁気データ読取装置は、前記読取部による磁気データの読み取りが開始されてからの時間を計測する計測部をさらに含み、
前記切替部は、前記計測部による計測時間が所定の時間を経過した場合に、前記出力部から信号を出力しないように切り替える、ことを特徴とするカード処理装置。
【請求項３】
請求項１に記載のカード処理装置において、
前記磁気データ読取装置は、制御信号が入力される入力部をさらに含み、
前記切替部は、前記入力部に入力される制御信号に基づいて、前記読取部により読み取られた信号を前記出力部から出力するか否かを切り替える、ことを特徴とするカード処理装置。
【請求項４】
請求項３に記載のカード処理装置において、
磁気カードが挿入される挿入口と、
前記挿入口を開閉するためのシャッタ部材と、
前記シャッタ部材の移動を制御する制御部と、をさらに備え、
前記磁気データ読取装置は、前記挿入口に設けられ、
前記制御部は、前記入力部に入力される制御信号を出力する、ことを特徴とするカード処理装置。
【請求項５】
請求項４に記載のカード処理装置において、
前記読取部は、前記挿入口に磁気カードが挿入された場合に、磁気カードに記録された磁気データを読み取り、
前記出力部は、前記読取部により読み取られた信号を前記制御部に出力し、
前記制御部は、前記出力部から信号が入力された場合に、前記挿入口を開くように前記シャッタ部材を移動させるとともに、前記出力部から出力される信号を停止するように前記切替部を制御する制御信号を出力する、ことを特徴とするカード処理装置。
【請求項６】
請求項３に記載のカード処理装置において、
磁気カードが挿入される挿入口と、
前記挿入口を開閉するためのシャッタ部材と、
前記シャッタ部材の位置を検出するシャッタ位置検出部と、をさらに備え、
前記磁気データ読取装置は、前記挿入口に設けられ、
前記シャッタ位置検出部は、前記シャッタ部材の位置に応じて変化する制御信号を前記入力部に出力する、ことを特徴とするカード処理装置。
【発明の詳細な説明】
【技術分野】
【０００１】
本発明は、磁気カードに記録された磁気データを読み取る磁気データ読取装置を備えたカード処理装置に関する。
【背景技術】
【０００２】
従来、磁気カードが挿入される挿入口と、挿入口に磁気カードが挿入されたことを検出するカード挿入検出部（磁気データ読取装置）と、カード挿入検出部の検出結果に基づいて挿入口を開閉するためのシャッタ部材と、挿入口から挿入された磁気カードに対して処理を施す読取／書込ヘッドとを備えたカード処理装置が知られている（たとえば、特許文献１〜３参照）。
【０００３】
これらのカード処理装置は、磁気情報の不正取得装置が挿入口の前方に取り付けられた場合に、その不正取得装置により磁気情報が不正に取得されるのを防止するように構成されている。なお、不正取得装置には、磁気データを読み取る磁気ヘッドが設けられている。
【０００４】
具体的には、上記特許文献１のカード処理装置では、挿入口の近傍に異物検出用のフォトセンサが設けられている。そして、このカード処理装置は、フォトセンサにより不正取得装置が検出された場合に、磁気カードの取り込みを中止するとともに、警報を発することにより、磁気情報が不正に取得されるのを防止する。
【０００５】
上記特許文献２のカード処理装置では、挿入口の前方に妨害磁界を発生させる磁界発生器が設けられている。そして、このカード処理装置は、磁界発生器により不正取得装置の磁気データの読み取りを困難にすることによって、磁気情報が不正に取得されるのを防止する。
【０００６】
上記特許文献３のカード処理装置は、磁気カードの磁気データを読み取るには磁気カードの磁気ストライプに対して磁気ヘッドを連続的に移動させる必要があることから、磁気カードを間欠的に搬送することにより不正取得装置の磁気データの読み取りを困難にすることによって、磁気情報が不正に取得されるのを防止する。
【先行技術文献】
【特許文献】
【０００７】
【特許文献１】特許第３８５０５９５号公報
【特許文献２】特許第３９３６４９６号公報
【特許文献３】特許第３８０１９７６号公報
【発明の概要】
【発明が解決しようとする課題】
【０００８】
しかしながら、上記特許文献１および２に開示された従来のカード処理装置では、磁気カードが挿入されたことを検出するカード挿入検出部の出力ラインに直接リード線が接続されるという不正行為が行われた場合には、リード線を介してカード挿入検出部により読み取られる磁気情報が不正に取得されてしまうという問題点がある。
【０００９】
また、上記特許文献３に開示された従来のカード処理装置では、磁気カードが挿入されたことを検出するカード挿入検出部の出力ラインに直接リード線が接続されるという不正行為が行われた場合には、リード線を介してカード挿入検出部により読み取られる磁気データから磁気情報が復元される可能性は皆無とは言えず、磁気情報が不正に取得されるおそれがあるという問題点がある。
【００１０】
本発明は、上述した課題を解決するものであって、その目的とするところは、磁気データ読取装置の出力ラインに直接リード線が接続されるという不正行為が行われた場合に、磁気情報が不正に取得されるのを防止することが可能なカード処理装置を提供することである。
【課題を解決するための手段】
【００１１】
本発明のカード処理装置は、磁気カードに記録された磁気データを読み取る読取部と、読取部により読み取られた信号を出力する出力部とを含む磁気データ読取装置を備え、磁気データ読取装置は、読取部により読み取られた信号を出力部から出力するか否かを切り替える切替部をさらに含む。
【００１２】
このように構成することによって、磁気データ読取装置に直接リード線が接続されるという不正行為が行われた場合にも、出力部から出力されるデータを磁気データのプリアンブル部またはポストアンブル部のみとし、磁気データの本体部が出力されないようにすることができるので、磁気情報が不正に取得されるのを防止することができる。
【００１３】
上記カード処理装置において、磁気データ読取装置は、読取部による磁気データの読み取りが開始されてからの時間を計測する計測部をさらに含み、切替部は、計測部による計測時間が所定の時間を経過した場合に、出力部から信号を出力しないように切り替えるようにしてもよい。
【００１４】
上記カード処理装置において、磁気データ読取装置は、制御信号が入力される入力部をさらに含み、切替部は、入力部に入力される制御信号に基づいて、読取部により読み取られた信号を出力部から出力するか否かを切り替えるようにしてもよい。
【００１５】
上記入力部を含むカード処理装置において、磁気カードが挿入される挿入口と、挿入口を開閉するためのシャッタ部材と、シャッタ部材の移動を制御する制御部と、をさらに備え、磁気データ読取装置は、挿入口に設けられ、制御部は、入力部に入力される制御信号を出力するようにしてもよい。
【００１６】
この場合において、読取部は、挿入口に磁気カードが挿入された場合に、磁気カードに記録された磁気データを読み取り、出力部は、読取部により読み取られた信号を制御部に出力し、制御部は、出力部から信号が入力された場合に、挿入口を開くようにシャッタ部材を移動させるとともに、出力部から出力される信号を停止するように切替部を制御する制御信号を出力するようにしてもよい。
【００１７】
上記入力部を含むカード処理装置において、磁気カードが挿入される挿入口と、挿入口を開閉するためのシャッタ部材と、シャッタ部材の位置を検出するシャッタ位置検出部と、をさらに備え、磁気データ読取装置は、挿入口に設けられ、シャッタ位置検出部は、シャッタ部材の位置に応じて変化する制御信号を入力部に出力するようにしてもよい。
【発明の効果】
【００１８】
本発明によれば、磁気データ読取装置の出力ラインに直接リード線が接続されるという不正行為が行われた場合に、磁気情報が不正に取得されるのを防止することが可能なデータ読取装置およびそれを備えたカード処理装置を提供することができる。
【図面の簡単な説明】
【００１９】
【図１】本発明の第１実施形態によるカード処理装置およびＡＴＭの構成を示したブロック図である。
【図２】図１のカード処理装置の概略を示した側面図である。
【図３】図２のカード処理装置のカード挿入検出部を説明するための図である。
【図４】図３のカード挿入検出部の再生信号および出力信号を説明するための波形図である。
【図５】図２のカード処理装置の構成を示したブロック図である。
【図６】第１実施形態によるカード処理装置の動作を説明するためのフローチャートである。
【図７】第１実施形態によるカード処理装置の動作を説明するための側面図である。
【図８】第１実施形態によるカード処理装置の動作を説明するための側面図である。
【図９】第１実施形態によるカード処理装置の動作を説明するための側面図である。
【図１０】本発明の第２実施形態によるカード処理装置の構成を示したブロック図である。
【図１１】図１０のカード処理装置のカード挿入検出部を説明するための図である。
【図１２】第２実施形態によるカード処理装置の動作を説明するためのフローチャートである。
【図１３】図１１のカード挿入検出部の再生信号および出力信号を説明するための波形図である。
【図１４】第２実施形態によるカード処理装置の動作を説明するための側面図である。
【図１５】第２実施形態によるカード処理装置の動作を説明するための側面図である。
【図１６】第２実施形態によるカード処理装置の動作を説明するための側面図である。
【図１７】本発明の第３実施形態によるカード処理装置の構成を示したブロック図である。
【図１８】図１７のカード処理装置のカード挿入検出部を説明するための図である。
【図１９】第３実施形態によるカード処理装置の動作を説明するためのフローチャートである。
【図２０】図１８のカード挿入検出部の再生信号および出力信号を説明するための波形図である。
【図２１】第３実施形態によるカード処理装置の動作を説明するための側面図である。
【図２２】第３実施形態によるカード処理装置の動作を説明するための側面図である。
【図２３】第３実施形態によるカード処理装置の動作を説明するための側面図である。
【発明を実施するための形態】
【００２０】
以下、本発明の第１〜第３実施形態について、図面を参照しながら説明する。
【００２１】
（第１実施形態）
まず、図１〜図５を参照して、本発明の第１実施形態によるカード処理装置１００およびＡＴＭ（Automated Teller Machine：現金自動預け払い機）１５０の構成について説明する。
【００２２】
ＡＴＭ１５０は、図１に示すように、ＡＴＭ本体１５１と、電源１５２と、カード処理装置１００とを備えている。ＡＴＭ１５０は、現金の引き出しなどの取引を利用者が行うために、金融機関などに設置されている。
【００２３】
第１実施形態によるカード処理装置１００は、ＡＴＭ１５０に設けられており、電源１５２から電力が供給されている。このカード処理装置１００は、利用者により挿入された磁気カード１６０の磁気ストライプ１６１に対して、所定の処理を施すように構成されている。
【００２４】
具体的には、カード処理装置１００は、磁気カード１６０の磁気ストライプ１６１に記録された磁気データを読み取り、その読み取ったデータをＡＴＭ本体１５１に送信する。また、カード処理装置１００は、ＡＴＭ本体１５１から送信されたデータを受信し、その受信したデータを磁気カード１６０の磁気ストライプ１６１に書き込む。なお、磁気ストライプ１６１には、たとえば、Ｆ２Ｆ（Two Frequency Coherent  Phase  Encoding）方式を用いて磁気データが、プリアンブル部、本体部、ポストアンブル部の順に記録されている。
【００２５】
カード処理装置１００は、図２に示すように、筐体１と、搬送ローラ２ａ〜２ｄと、カード位置検出部３ａ〜３ｃと、読取／書込ヘッド４と、シャッタ部材５と、シャッタ位置検出部６と、カード挿入検出部７とを含んでいる。なお、カード挿入検出部７は、本発明の「磁気データ読取装置」の一例である。
【００２６】
筐体１には、矢印Ｘ２方向側の端部に磁気カード１６０が挿入される挿入口１ａが設けられている。搬送ローラ２ａ〜２ｄは、それぞれ、搬送路Ｐを挟んで上下一対に設けられており、磁気カード１６０を挿入方向（矢印Ｘ１方向）および排出方向（矢印Ｘ２方向）に搬送する。
【００２７】
カード位置検出部３ａ〜３ｃは、たとえば、フォトインタラプタであり、搬送路Ｐ上の磁気カード１６０の位置を検出する。読取／書込ヘッド４は、挿入された磁気カード１６０に対してデータの読み取りや書き込みを行う。
【００２８】
シャッタ部材５は、挿入口１ａを開閉するために、開方向（矢印Ｚ１方向）および閉方向（矢印Ｚ２方向）に移動可能に設けられている。シャッタ位置検出部６は、たとえば、マイクロスイッチであり、シャッタ部材５が閉状態の位置まで移動したことを検出する。
【００２９】
カード挿入検出部７は、図３に示すように、磁気ヘッド７０の内部に設けられている。そして、磁気ヘッド７０は、矢印Ｚ１方向および矢印Ｚ２方向（図２参照）に移動可能に設けられている。具体的には、磁気ヘッド７０は、挿入口１ａ内に突出しており、磁気カード１６０が挿入口１ａを通過する場合に、磁気カード１６０の磁気ストライプ１６１（図１参照）と接触した状態で矢印Ｚ１方向に退避する。
【００３０】
カード挿入検出部７は、図３に示すように、読取部７１と、タイマ７２と、出力制御部７３と、出力部７４とを含んでいる。なお、タイマ７２は、本発明の「計測部」の一例であり、出力制御部７３は、本発明の「切替部」の一例である。
【００３１】
読取部７１は、ギャップ７１ａが形成されたコア７１ｂと、コイル７１ｃとを有しており、磁気カード１６０に記録された磁気データを読み取る。具体的には、読取部７１では、磁気カード１６０が挿入口１ａに挿入された場合に、磁気カード１６０の磁化パターンによりコア７１ｂが磁化されることによって、コイル７１ｃに電流が流れる。これにより、読取部７１は、たとえば、図４に示すような再生信号を出力制御部７３に出力する。なお、図４では、簡略化のために再生信号のプリアンブル部および本体部の一部のみを示しているが、実際には、本体部の後にポストアンブル部も読み取られる。
【００３２】
タイマ７２は、読取部７１の再生信号に基づいて、読取部７１による磁気データの読み取りが開始されてからの時間を計測する。
【００３３】
出力制御部７３は、タイマ７２による計測時間に基づいて、読取部７１の再生信号を出力部７４から出力するか否かを制御する。具体的には、出力制御部７３は、図４に示すように、読取部７１による磁気データの読み取りが開始されてから所定の時間Ｔ１が経過するまでは、読取部７１の再生信号をそのまま出力部７４から出力し、読取部７１による磁気データの読み取りが開始されてから所定の時間Ｔ１を経過した場合には、出力部７４からの再生信号の出力を停止する。
【００３４】
ここで、所定の時間Ｔ１は、磁気データの本体部の読み取りが開始されるまでの時間Ｔ２よりも短くなるように設定されている。したがって、出力制御部７３は、磁気カード１６０が挿入口１ａに挿入された場合に、磁気データのプリアンブル部の再生信号のみを出力部７４から制御部１１に出力し、磁気データの本体部およびポストアンブル部の再生信号を出力部７４から出力しない。
【００３５】
また、出力制御部７３は、磁気カード１６０が挿入口１ａから排出される場合にも、同様に、読取部７１による磁気データの読み取りが開始されてから所定の時間だけ、再生信号を出力部７４から出力する。これにより、出力制御部７３は、磁気カード１６０の排出時には、磁気データのポストアンブル部の再生信号のみを出力部７４から制御部１１に出力し、磁気データの本体部およびプリアンブル部の再生信号を出力部７４から出力しない。
【００３６】
また、出力制御部７３は、出力部７４からの再生信号の出力を停止した後、磁気カード１６０が挿入口１ａを通過した場合に、再生信号を出力部７４から出力可能な状態に戻る。したがって、出力制御部７３は、磁気カード１６０が挿入口１ａに挿入または排出されるたびに、磁気データのプリアンブル部またはポストアンブル部の再生信号のみを出力部７４から出力する。なお、磁気カード１６０が挿入口１ａを通過した否かは、たとえば、読取部７１の再生信号に基づいて判断してもよいし、タイマ７２の計測時間に基づいて判断してもよい。
【００３７】
また、カード処理装置１００は、図５に示すように、搬送ローラ２ａ〜２ｄを駆動するモータ８と、シャッタ部材５を移動させるためのソレノイドなどからなるアクチュエータ９と、ＡＴＭ本体１５１とデータのやり取りを行うための通信部１０と、カード処理装置１００の動作を制御する制御部１１とを含んでいる。
【００３８】
制御部１１は、ＣＰＵ、ＲＯＭ、およびＲＡＭなどを有する。この制御部１１は、カード挿入検出部７から磁気データのプリアンブル部の再生信号が入力された場合に、筐体１の挿入口１ａに磁気カード１６０が挿入されたと判断する。なお、制御部１１は、カード挿入検出部７から入力された再生信号に基づいて、磁気カード１６０に記録された磁気情報（磁気データの本体部）を取得することができないが、磁気カード１６０が挿入されたか否かを判断することが可能であればよい。
【００３９】
次に、図２〜図９を参照して、本発明の第１実施形態によるカード処理装置１００の動作について説明する。なお、図６のフローチャートの各ステップは、制御部１１（図５参照）により実行される。
【００４０】
まず、カード処理装置１００では、図６のステップＳ１において、カード挿入検出部７の出力部７４（図３参照）から磁気データのプリアンブル部の再生信号が出力されたか否かが判断される。出力部７４から再生信号が出力されておらず、磁気カード１６０が挿入口１ａに挿入されていないと判断された場合には、ステップＳ１が繰り返し行われる。すなわち、カード処理装置１００は、磁気カード１６０が挿入されるまで待機する。そして、出力部７４から再生信号が出力されて、磁気カード１６０が挿入口１ａに挿入されたと判断されると、ステップＳ２に移る。なお、出力制御部７３（図３参照）は、図４に示すように、所定の時間Ｔ１の経過後、出力部７４からの再生信号の出力を停止する。
【００４１】
次に、ステップＳ２において、アクチュエータ９（図５参照）により、シャッタ部材５（図２参照）を開方向（矢印Ｚ１方向）に移動させる。これにより、図７に示すように、シャッタ部材５が搬送路Ｐから退避するので、挿入口１ａが開かれる。
【００４２】
次に、ステップＳ３において、モータ８（図５参照）を駆動することにより、搬送ローラ２ａ〜２ｄ（図７参照）を正転させる。これにより、磁気カード１６０が矢印Ｘ１方向に搬送されるので、図８に示すように、磁気カード１６０が筐体１の内部に取り込まれる。なお、挿入口１ａは、開かれてから所定の時間経過後にシャッタ部材５により閉じられる。また、出力制御部７３は、磁気カード１６０が挿入口１ａを通過することにより、出力部７４からの再生信号の出力を停止する状態から、再生信号を出力部７４から出力可能な状態に戻る。
【００４３】
次に、ステップＳ４において、読取／書込ヘッド４により、筐体１の内部に取り込まれた磁気カード１６０が破線で示す位置まで搬送される過程で、磁気カード１６０に対してデータの読み取りや書き込みが行われる。このとき、通信部１０（図５参照）を介してＡＴＭ本体１５１（図５参照）との通信も行われる。
【００４４】
その後、ＡＴＭ本体１５１から磁気カード１６０の排出指令が入力されると、ステップＳ５において、アクチュエータ９により、シャッタ部材５を矢印Ｚ１方向に移動させる。これにより、図９に示すように、シャッタ部材５が搬送路Ｐから退避するので、挿入口１ａが開かれる。
【００４５】
次に、ステップＳ６において、モータ８を駆動することにより、搬送ローラ２ａ〜２ｄを逆転させる。これにより、磁気カード１６０が矢印Ｘ２方向に搬送され、挿入口１ａから排出される。その後、磁気カード１６０が抜き取られると、挿入口１ａがシャッタ部材５により閉じられ、一連の動作が終了する。なお、磁気カード１６０の排出時には、挿入時と同様に、出力部７４から所定の時間だけ再生信号が出力される（この場合の再生信号は、先述のとおりポストアンブル部の再生信号である）。
【００４６】
第１実施形態では、上記のように、読取部７１の再生信号を出力部７４から出力するか否かを制御する出力制御部７３を設けることによって、磁気カード１６０が挿入口１ａに挿入された場合に、磁気データのプリアンブル部の再生信号のみを出力部７４から出力することにより、磁気ヘッド７０の出力ラインに直接リード線が接続されるという不正行為が行われた場合にも、不正に取得されるデータを磁気データのプリアンブル部のみとすることができるので、磁気情報（磁気データの本体部）が不正に取得されるのを防止することができる。その結果、第１実施形態によるカード処理装置１００では、磁気情報が不正に取得されるのを防止しながら、磁気カード１６０の挿入を検出して挿入口１ａを開くことができる。
【００４７】
また、第１実施形態では、読取部７１による磁気データの読み取りが開始されてからの時間を計測するタイマ７２を設けるとともに、出力制御部７３が所定の時間Ｔ１を経過した場合に出力部７４からの再生信号の出力を停止することによって、磁気カード１６０が挿入口１ａに挿入された場合に、容易に、磁気データのプリアンブル部の再生信号のみを出力部７４から出力することができる。
【００４８】
また、第１実施形態では、磁気カード１６０が挿入口１ａから排出される場合には、磁気データのポストアンブル部の再生信号のみが出力部７４から出力されることによって、磁気ヘッド７０の出力ラインに直接リード線が接続されるという不正行為が行われた場合において、磁気カード１６０が挿入口１ａから排出される場合にも、磁気カード１６０の挿入時と同様に、磁気情報（磁気データの本体部）が不正に取得されるのを防止することができる。
【００４９】
（第２実施形態）
次に、図１０および図１１を参照して、本発明の第２実施形態によるカード処理装置２００の構成について説明する。
【００５０】
第２実施形態によるカード処理装置２００は、図１０に示すように、カード挿入検出部２０１と、制御部２０２とを備えている。なお、カード処理装置２００のその他の構成は、カード処理装置１００（図２および図５参照）と同様であるので説明を省略する。また、カード挿入検出部２０１は、本発明の「磁気データ読取装置」の一例である。
【００５１】
カード挿入検出部２０１は、図１１に示すように、磁気ヘッド２０３の内部に設けられている。このカード挿入検出部２０１は、読取部２０４と、入力部２０５と、スイッチ素子２０６と、出力部２０７とを含んでいる。なお、読取部２０４および出力部２０７の構成は、それぞれ、第１実施形態（図３）の読取部７１および出力部７４と同様である。また、スイッチ素子２０６は、本発明の「切替部」の一例である。
【００５２】
入力部２０５には、スイッチ素子２０６のオン／オフ状態を切り替えるための制御信号が制御部２０２から入力される。スイッチ素子２０６は、入力部２０５に入力される制御信号に基づいて、読取部２０４の再生信号を出力部２０７から出力するか否かを切り替える。
【００５３】
たとえば、スイッチ素子２０６は、入力部２０５にＨ（High）レベルの制御信号が入力されているときに、読取部２０４の再生信号を出力部２０７から出力可能な状態（オン状態）になり、入力部２０５にＬ（Low）レベルの制御信号が入力されているときに、読取部２０４の再生信号を出力部２０７から出力しない状態（オフ状態）になる。
【００５４】
制御部２０２は、ＣＰＵ、ＲＯＭ、およびＲＡＭなどを有しており、制御信号をカード挿入検出部２０１に出力する。この制御部２０２は、カード挿入検出部２０１から磁気データのプリアンブル部の再生信号が入力された場合に、筐体１の挿入口１ａに磁気カード１６０が挿入されたと判断する。そして、制御部２０２は、磁気カード１６０が挿入されたと判断した場合に、出力する制御信号をＨレベルからＬレベルに切り替える。また、制御部２０２は、磁気カード１６０が排出され、抜き取られたと判断した場合に、出力する制御信号をＬレベルからＨレベルに切り替える。
【００５５】
なお、制御部２０２は、カード挿入検出部２０１から入力された再生信号に基づいて、磁気カード１６０に記録された磁気情報（磁気データの本体部）を取得することができないが、磁気カード１６０が挿入されたか否かを判断することが可能であればよい。
【００５６】
次に、図１０〜図１６を参照して、本発明の第２実施形態によるカード処理装置２００の動作について説明する。なお、図１２のフローチャートの各ステップは、制御部２０２（図１０参照）により実行される。
【００５７】
まず、カード処理装置２００では、図１２のステップＳ１１において、制御部２０２からカード挿入検出部２０１の入力部２０５（図１１参照）にＨレベルの制御信号（図１３参照）が出力される。これにより、カード挿入検出部２０１では、スイッチ素子２０６がオン状態になり、読取部２０４の再生信号を出力部２０７から出力可能な状態になる。
【００５８】
次に、ステップＳ１２において、カード挿入検出部２０１の出力部２０７から磁気データのプリアンブル部の再生信号が出力されたか否かが判断される。出力部２０７から再生信号が出力されておらず、磁気カード１６０が挿入口１ａに挿入されていないと判断された場合には、ステップＳ１２が繰り返し行われる。すなわち、カード処理装置２００は、磁気カード１６０が挿入されるまで待機する。そして、出力部２０７から再生信号（図１３参照）が出力されて、磁気カード１６０が挿入口１ａに挿入されたと判断されると、ステップＳ１３に移る。
【００５９】
次に、ステップＳ１３において、アクチュエータ９（図１０参照）により、シャッタ部材５を開方向（矢印Ｚ１方向）に移動させる。これにより、図１４に示すように、シャッタ部材５が搬送路Ｐから退避するので、挿入口１ａが開かれる。
【００６０】
次に、ステップＳ１４において、図１３に示すように、制御部２０２から入力部２０５に入力される制御信号がＬレベルに切り替えられる。これにより、カード挿入検出部２０１では、スイッチ素子２０６がオフ状態になり、読取部２０４の再生信号を出力部２０７から出力しない状態になる。
【００６１】
次に、ステップＳ１５において、モータ８（図１０参照）を駆動することにより、搬送ローラ２ａ〜２ｄ（図１４参照）を正転させる。これにより、磁気カード１６０が矢印Ｘ１方向に搬送されるので、図１５に示すように、磁気カード１６０が筐体１の内部に取り込まれる。このとき、入力部２０５にはＬレベルの制御信号が入力されているので、図１３に示すように、読取部２０４により読み取られる再生信号は、出力部２０７から出力されない。なお、挿入口１ａは、開かれてから所定の時間経過後にシャッタ部材５により閉じられる。
【００６２】
次に、ステップＳ１６において、読取／書込ヘッド４により、筐体１の内部に取り込まれた磁気カード１６０が破線で示す位置まで搬送される過程で、磁気カード１６０に対してデータの読み取りや書き込みが行われる。このとき、通信部１０（図１０参照）を介してＡＴＭ本体１５１（図１０参照）との通信も行われる。
【００６３】
その後、ＡＴＭ本体１５１から磁気カード１６０の排出指令が入力されると、ステップＳ１７において、アクチュエータ９により、シャッタ部材５を矢印Ｚ１方向に移動させる。これにより、図１６に示すように、シャッタ部材５が搬送路Ｐから退避するので、挿入口１ａが開かれる。
【００６４】
次に、ステップＳ１８において、モータ８を駆動することにより、搬送ローラ２ａ〜２ｄを逆転させる。これにより、磁気カード１６０が矢印Ｘ２方向に搬送され、挿入口１ａから排出される。このとき、入力部２０５にはＬレベルの制御信号が入力されているので、読取部２０４により読み取られる再生信号は、出力部２０７から出力されない。その後、磁気カード１６０が抜き取られると、挿入口１ａがシャッタ部材５により閉じられる。
【００６５】
最後に、ステップＳ１９において、制御部２０２から入力部２０５に入力される制御信号がＨレベルに切り替えられ、一連の動作が終了する。
【００６６】
第２実施形態では、上記のように、磁気カード１６０が挿入口１ａに挿入されることにより、磁気データのプリアンブル部の再生信号が制御部２０２に入力された場合に、制御部２０２が制御信号をＬレベルに切り替えることにより、読取部２０４により読み取られる再生信号が出力部２０７から出力されなくなるようにしている。これによって、磁気ヘッド２０３の出力ラインに直接リード線が接続されるという不正行為が行われた場合にも、不正に取得されるデータを磁気データのプリアンブル部のみとすることができるので、磁気情報（磁気データの本体部）が不正に取得されるのを防止することができる。その結果、第２実施形態によるカード処理装置２００では、磁気情報が不正に取得されるのを防止しながら、磁気カード１６０の挿入を検出して挿入口１ａを開くことができる。
【００６７】
また、第２実施形態では、磁気カード１６０が挿入口１ａから排出され、抜き取られた後に、制御信号をＨレベルに切り替えることによって、磁気カード１６０の排出時に読取部２０４により読み取られる再生信号が出力部２０７から出力されないので、磁気カード１６０の排出時にも、磁気情報（磁気データの本体部）が不正に取得されるのを防止することができる。
【００６８】
（第３実施形態）
次に、図１７および図１８を参照して、本発明の第３実施形態によるカード処理装置３００の構成について説明する。
【００６９】
第３実施形態によるカード処理装置３００は、図１７に示すように、カード挿入検出部３０１と、シャッタ位置検出部３０２とを備えている。なお、カード処理装置３００のその他の構成は、カード処理装置１００（図２および図５参照）と同様であるので説明を省略する。また、カード挿入検出部３０１は、本発明の「磁気データ読取装置」の一例である。
【００７０】
カード挿入検出部３０１は、図１８に示すように、磁気ヘッド３０３の内部に設けられている。このカード挿入検出部３０１は、読取部３０４と、入力部３０５と、スイッチ素子３０６と、出力部３０７とを含んでいる。なお、読取部３０４、スイッチ素子３０６、および、出力部３０７の構成は、それぞれ、第２実施形態（図１１）の読取部２０４、スイッチ素子２０６、および、出力部２０７と同様である。また、スイッチ素子３０６は、本発明の「切替部」の一例である。
【００７１】
入力部３０５には、スイッチ素子３０６のオン／オフ状態を切り替えるための制御信号がシャッタ位置検出部３０２から入力される。たとえば、シャッタ位置検出部３０２は、シャッタ部材５が閉状態の位置であるときにオン状態になり、Ｈレベルの制御信号を出力する。また、シャッタ位置検出部３０２は、シャッタ部材５が開状態の位置を含む閉状態の位置以外の位置であるときにオフ状態になり、Ｌレベルの制御信号を出力する。
【００７２】
このため、カード挿入検出部３０１は、シャッタ部材５が閉状態の位置であるときに、読取部３０４の再生信号を出力部３０７から出力可能な状態になり、シャッタ部材５が開状態の位置であるときに、読取部３０４の再生信号を出力部３０７から出力しない状態になる。
【００７３】
次に、図１７〜図２３を参照して、本発明の第３実施形態によるカード処理装置３００の動作について説明する。なお、図１９のフローチャートの各ステップは、制御部１１（図１７参照）により実行される。また、磁気カード１６０が挿入される前においては、シャッタ部材５が閉状態の位置であることから、シャッタ位置検出部３０２は、Ｈレベルの制御信号を出力しており、カード挿入検出部３０１は、読取部３０４の再生信号を出力部３０７から出力可能な状態である。
【００７４】
まず、カード処理装置３００では、図１９のステップＳ２１において、カード挿入検出部３０１の出力部３０７（図１８参照）から磁気データのプリアンブル部の再生信号が出力されたか否かが判断される。出力部３０７から再生信号が出力されておらず、磁気カード１６０が挿入口１ａに挿入されていないと判断された場合には、ステップＳ２１が繰り返し行われる。すなわち、カード処理装置３００は、磁気カード１６０が挿入されるまで待機する。そして、出力部３０７から再生信号（図２０参照）が出力されて、磁気カード１６０が挿入口１ａに挿入されたと判断されると、ステップＳ２２に移る。
【００７５】
次に、ステップＳ２２において、アクチュエータ９（図１７参照）により、シャッタ部材５を開方向（矢印Ｚ１方向）に移動させる。これにより、図２１に示すように、シャッタ部材５が搬送路Ｐから退避するので、挿入口１ａが開かれる。そして、ステップＳ２３において、シャッタ位置検出部３０２がオフ状態（図２０参照）に切り替わる。このため、ステップＳ２４において、シャッタ位置検出部３０２から出力される制御信号がＬレベルになる。したがって、カード挿入検出部３０１は、読取部３０４の再生信号を出力部３０７から出力しない状態になる。
【００７６】
次に、ステップＳ２５において、モータ８（図１７参照）を駆動することにより、搬送ローラ２ａ〜２ｄ（図２１参照）を正転させる。これにより、磁気カード１６０が矢印Ｘ１方向に搬送されるので、図２２に示すように、磁気カード１６０が筐体１の内部に取り込まれる。このとき、入力部３０５にはＬレベルの制御信号が入力されているので、図２０に示すように、読取部３０４により読み取られる再生信号は、出力部３０７から出力されない。
【００７７】
そして、ステップＳ２６において、アクチュエータ９により、シャッタ部材５を閉方向（矢印Ｚ２方向）に移動させる。これにより、図２２に示すように、シャッタ部材５により挿入口１ａが閉じられる。そして、ステップＳ２７において、シャッタ位置検出部３０２がオン状態に切り替わる。このため、ステップＳ２８において、シャッタ位置検出部３０２から出力される制御信号がＨレベルになる。したがって、このとき、カード挿入検出部３０１は、読取部３０４の再生信号を出力部３０７から出力可能な状態になるが、磁気カード１６０が挿入口１ａを通過しないので、読取部３０４により再生信号が読み取られることがない。
【００７８】
次に、ステップＳ２９において、読取／書込ヘッド４により、筐体１の内部に取り込まれた磁気カード１６０が破線で示す位置まで搬送される過程で、磁気カード１６０に対してデータの読み取りや書き込みが行われる。このとき、通信部１０（図１７参照）を介してＡＴＭ本体１５１（図１７参照）との通信も行われる。
【００７９】
その後、ＡＴＭ本体１５１から磁気カード１６０の排出指令が入力されると、ステップＳ３０において、アクチュエータ９により、シャッタ部材５を矢印Ｚ１方向に移動させる。これにより、図２３に示すように、シャッタ部材５が搬送路Ｐから退避するので、挿入口１ａが開かれる。そして、ステップＳ３１において、シャッタ位置検出部３０２がオフ状態に切り替わる。このため、ステップＳ３２において、シャッタ位置検出部３０２から出力される制御信号がＬレベルになる。したがって、カード挿入検出部３０１は、読取部３０４の再生信号を出力部３０７から出力しない状態になる。
【００８０】
次に、ステップＳ３３において、モータ８を駆動することにより、搬送ローラ２ａ〜２ｄを逆転させる。これにより、磁気カード１６０が矢印Ｘ２方向に搬送され、挿入口１ａから排出される。このとき、入力部３０５にはＬレベルの制御信号が入力されているので、読取部３０４により読み取られる再生信号は、出力部３０７から出力されない。
【００８１】
その後、磁気カード１６０が抜き取られると、ステップＳ３４において、シャッタ部材５により挿入口１ａが閉じられる。そして、ステップＳ３５において、シャッタ位置検出部３０２がオン状態に切り替わる。このため、ステップＳ３６において、シャッタ位置検出部３０２から出力される制御信号がＨレベルになり、一連の動作が終了する。
【００８２】
第３実施形態では、上記のように、磁気カード１６０が挿入口１ａに挿入されることにより、磁気データのプリアンブル部の再生信号が制御部１１に入力された場合に、制御部１１により挿入口１ａを開くようにシャッタ部材５を移動させる。このとき、シャッタ位置検出部３０２がオフ状態に切り替わることにより、シャッタ位置検出部３０２から出力される制御信号がＬレベルに切り替わる。このため、カード挿入検出部３０１では、読取部３０４により読み取られる再生信号を出力部３０７から出力しなくなることによって、磁気ヘッド３０３の出力ラインに直接リード線が接続されるという不正行為が行われた場合にも、不正に取得されるデータを磁気データのプリアンブル部のみとすることができるので、磁気情報（磁気データの本体部）が不正に取得されるのを防止することができる。その結果、第３実施形態によるカード処理装置３００では、磁気情報が不正に取得されるのを防止しながら、磁気カード１６０の挿入を検出して挿入口１ａを開くことができる。
【００８３】
また、第３実施形態では、磁気カード１６０が挿入口１ａから排出され、抜き取られた後に、制御信号がＨレベルに切り替えられることによって、磁気カード１６０の排出時に読取部３０４により読み取られる再生信号が出力部３０７から出力されないので、磁気カード１６０の排出時にも、磁気情報（磁気データの本体部）が不正に取得されるのを防止することができる。
【００８４】
本発明は、上述した以外にも種々の実施形態を採用することができる。たとえば、上記第１実施形態では、読取部７１による磁気データの読み取りが開始されてからの時間を計測するタイマ７２と、タイマ７２による計測時間に基づいて再生信号を出力するか否かを制御する出力制御部７３とを設ける例を示したが、これに限らず、タイマ７２の代わりに、読取部７１の再生信号のパルス数を計測するカウンタを設け、出力制御部がカウンタのカウント数に基づいて再生信号を出力するか否かを制御するようにしてもよい。または、タイマ７２およびパルス数を計測するカウンタの両方を設け、出力制御部が、タイマ７２による計測時間とカウンタによるカウント数のどちらか一方の条件を満たした場合に、再生信号の出力を停止するようにしてもよい。
【００８５】
また、上記第２実施形態では、本発明の切替部の一例としてスイッチ素子２０６を示したが、これに限らず、本発明の切替部が論理回路により構成されていてもよい。
【００８６】
また、上記第２実施形態では、磁気カード１６０が挿入された後、排出されるまで制御信号をＬレベルにする例を示したが、これに限らず、磁気カード１６０が挿入された後、磁気カード１６０が挿入口１ａを通過した場合に、磁気カード１６０が筐体１の内部に取り込まれた状態で、制御信号をＨレベルに戻すようにしてもよい。すなわち、制御部２０２は、カード挿入検出部２０１から磁気データのプリアンブル部の再生信号が入力された場合に、所定の時間だけ制御信号をＬレベルにするようにしてもよい。
【００８７】
また、上記第１実施形態において、出力部７４から出力される再生信号を非可逆変換する変換部がカード挿入検出部７に設けられていてもよい。なお、第２および第３実施形態についても同様である。
【００８８】
また、上記第１実施形態では、読取部７１がコア７１ｂとコイル７１ｃとを有する例を示したが、これに限らず、読取部が磁気抵抗素子などのその他の磁気センサを有していてもよい。なお、第２および第３実施形態についても同様である。
【符号の説明】
【００８９】
１ａ                      挿入口
５                        シャッタ部材
７、２０１、３０１        カード挿入検出部（磁気データ読取装置）
７１、２０４、３０４      読取部
７２                      タイマ（計測部）
７３                      出力制御部（切替部）
７４、２０７、３０７      出力部
１００、２００、３００    カード処理装置
１６０                    磁気カード
２０２                    制御部
２０５、３０５            入力部
２０６、３０６            スイッチ素子（切替部）
３０２                    シャッタ位置検出部
【図１】
2011113235.tif 000003
【図２】
2011113235.tif 000004
【図３】
2011113235.tif 000005
【図４】
2011113235.tif 000006
【図５】
2011113235.tif 000007
【図６】
2011113235.tif 000008
【図７】
2011113235.tif 000009
【図８】
2011113235.tif 000010
【図９】
2011113235.tif 000011
【図１０】
2011113235.tif 000012
【図１１】
2011113235.tif 000013
【図１２】
2011113235.tif 000014
【図１３】
2011113235.tif 000015
【図１４】
2011113235.tif 000016
【図１５】
2011113235.tif 000017
【図１６】
2011113235.tif 000018
【図１７】
2011113235.tif 000019
【図１８】
2011113235.tif 000020
【図１９】
2011113235.tif 000021
【図２０】
2011113235.tif 000022
【図２１】
2011113235.tif 000023
【図２２】
2011113235.tif 000024
【図２３】
2011113235.tif 000025